(57)【特許請求の範囲】
【請求項１】
テレビ番組の内容に応じて視聴許容ランク付けされた番組内容識別データが付加されたテレビジョン信号を受信するテレビジョン信号入力手段と、
上記テレビジョン信号入力手段が入力したテレビジョン信号をビデオテープにビデオ信号として記録する録画手段と、
利用者が録画を所望しないテレビジョン信号に対応する視聴許容ランクを登録するための登録項目または利用者が録画を所望するテレビジョン信号に対応する視聴許容ランクを登録するための登録項目を選択する登録項目選択手段と、
上記登録項目選択手段によって選択した登録項目毎に対応する複数の視聴許容ランクから一の視聴許容ランクを登録する視聴許容ランク登録手段と、
上記番組内容識別データの視聴許容ランクが上記視聴許容ランク登録手段にて登録された視聴許容ランク以上であるか否かを判別する視聴許容ランク判別手段と、
上記録画手段が実行する録画動作の起動および停止を制御するとともに、
上記登録項目選択手段において利用者が録画を所望しないテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合には上記録画手段の録画動作を一時停止あるいは停止させ、
上記登録項目選択手段において利用者が録画を所望するテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合には上記録画手段の録画動作を実行させる録画制御手段とを具備することを特徴とするビデオデッキ。
【請求項２】
テレビ番組の内容に応じて視聴許容ランク付けされた番組内容識別データが付加されたテレビジョン信号を受信するテレビジョン信号入力手段と、
上記テレビジョン信号入力手段が入力したテレビジョン信号をビデオテープにビデオ信号として記録する録画手段と、
上記ビデオテープに記録したビデオ信号を再生する再生手段と、
上記録画手段がテレビジョン信号を録画する際における視聴許容ランク及び、上記再生手段がビデオ信号を再生する際における視聴許容ランクを夫々登録可能な視聴許容ランク登録手段と、
上記録画手段がテレビジョン信号を録画する場合に、上記番組内容識別データの視聴許容ランクが、上記登録した録画手段がテレビジョン信号を録画する際における視聴許容ランク以上であるか否かを判別し、上記再生手段がビデオ信号を再生する場合に、同再生するビデオ信号の番組内容識別データの視聴許容ランクが、上記登録した再生手段がビデオ信号を再生する際における視聴許容ランク以上であるか否かを判別する視聴許容ランク判別手段と、
上記視聴許容ランク判別手段が、上記番組内容識別データの視聴許容ランクが上記登録した録画手段がテレビジョン信号を録画する際における視聴許容ランク以上であると判別した場合に、上記録画手段の録画動作を停止させ、上記視聴許容ランク判別手段が、同再生するビデオ信号の番組内容識別データの視聴許容ランクが上記登録した再生手段がビデオ信号を再生する際における視聴許容ランク以上であると判別した場合に、再生動作を早送りする録画再生制御手段とを具備することを特徴とするビデオデッキ。
【請求項３】
テレビ番組の内容に応じて視聴許容ランク付けされた番組内容識別データが付加されたテレビジョン信号を受信するテレビジョン信号入力手段と、
上記テレビジョン信号入力手段が入力したテレビジョン信号をビデオテープにビデオ信号として記録する録画手段と、
上記ビデオテープに記録したビデオ信号を再生する再生手段と、
上記録画手段がテレビジョン信号を録画する際における視聴許容ランク及び、上記再生手段がビデオ信号を再生する際における視聴許容ランクを夫々登録可能な視聴許容ランク登録手段と、
上記録画手段がテレビジョン信号を録画する場合に、上記番組内容識別データの視聴許容ランクが、上記登録した録画手段がテレビジョン信号を録画する際における視聴許容ランク以上であるか否かを判別し、上記再生手段がビデオ信号を再生する場合に、同再生するビデオ信号の番組内容識別データの視聴許容ランクが、上記登録した再生手段がビデオ信号を再生する際における視聴許容ランク以上であるか否かを判別する視聴許容ランク判別手段と、
上記視聴許容ランク判別手段が、上記番組内容識別データの視聴許容ランクが上記登録した録画手段がテレビジョン信号を録画する際における視聴許容ランク以上であると判別すると、上記録画手段の録画動作を実行し、上記視聴許容ランク判別手段が、同再生するビデオ信号の番組内容識別データの視聴許容ランクが上記登録した再生手段がビデオ信号を再生する際における視聴許容ランク以上であると判別すると、同ビデオ信号について再生動作を実行するとともに、視聴許容ランク未満のビデオ信号は早送りする録画再生制御手段とを具備することを特徴とするビデオデッキ。
【請求項４】
テレビ番組の内容に応じて視聴許容ランク付けされた番組内容識別データが付加されたテレビジョン信号を受信するテレビジョン信号入力手段と、
上記テレビジョン信号入力手段が入力したテレビジョン信号をビデオテープにビデオ信号として記録する録画手段と、
上記ビデオテープに記録したビデオ信号を再生する再生手段と、
上記録画手段がテレビジョン信号を録画する際における視聴許容ランク及び、上記再生手段がビデオ信号を再生する際における視聴許容ランクを夫々登録可能な視聴許容ランク登録手段と、
上記録画手段がテレビジョン信号を録画する場合に、上記番組内容識別データの視聴許容ランクが、上記登録した録画手段がテレビジョン信号を録画する際における視聴許容ランク以上であるか否かを判別し、上記再生手段がビデオ信号を再生する場合に、同再生するビデオ信号の番組内容識別データの視聴許容ランクが、上記登録した再生手段がビデオ信号を再生する際における視聴許容ランク以上であるか否かを判別する視聴許容ランク判別手段と、
上記視聴許容ランク判別手段が、上記番組内容識別データの視聴許容ランクが上記登録した録画手段がテレビジョン信号を録画する際における視聴許容ランク以上であると判別した場合に、上記録画手段の録画動作を停止させ、上記視聴許容ランク判別手段が、同再生するビデオ信号の番組内容識別データの視聴許容ランクが上記登録した再生手段がビデオ信号を再生する際における視聴許容ランク以上であると判別すると、同ビデオ信号について再生動作を実行するとともに、視聴許容ランク未満のビデオ信号は早送りする録画再生制御手段とを具備することを特徴とするビデオデッキ。
【請求項５】
テレビ番組の内容に応じて視聴許容ランク付けされた番組内容識別データが付加されたテレビジョン信号を受信するテレビジョン信号入力手段と、
上記テレビジョン信号入力手段が入力したテレビジョン信号をビデオテープにビデオ信号として記録する録画手段と、
上記ビデオテープに記録したビデオ信号を再生する再生手段と、
上記録画手段がテレビジョン信号を録画する際における視聴許容ランク及び、上記再生手段がビデオ信号を再生する際における視聴許容ランクを夫々登録可能な視聴許容ランク登録手段と、
上記録画手段がテレビジョン信号を録画する場合に、上記番組内容識別データの視聴許容ランクが、上記登録した録画手段がテレビジョン信号を録画する際における視聴許容ランク以上であるか否かを判別し、上記再生手段がビデオ信号を再生する場合に、同再生するビデオ信号の番組内容識別データの視聴許容ランクが、上記登録した再生手段がビデオ信号を再生する際における視聴許容ランク以上であるか否かを判別する視聴許容ランク判別手段と、
上記視聴許容ランク判別手段が、上記番組内容識別データの視聴許容ランクが上記登録した録画手段がテレビジョン信号を録画する際における視聴許容ランク以上であると判別すると、上記録画手段の録画動作を実行し、上記視聴許容ランク判別手段が、同再生するビデオ信号の番組内容識別データの視聴許容ランクが上記登録した再生手段がビデオ信号を再生する際における視聴許容ランク以上であると判別した場合に、再生動作を早送りする録画再生制御手段とを具備することを特徴とするビデオデッキ。
【発明の詳細な説明】
【０００１】
【発明の属する技術分野】
本発明は、ビデオデッキに関し、特に、所定のテレビジョン信号またはビデオ信号に応じて所定の録画動作または再生動作を実行するビデオデッキに関する。
【従来の技術】
従来、この種の所定のテレビジョン信号またはビデオ信号に応じて所定の動作を実行するものとして、実開昭６３−１２５４８３号公報に開示されているＣＡＴＶシステムにおける視聴制御装置が知られている。同公報において開示されているＣＡＴＶシステムは、テレビジョン信号を送出するセンターと、同センターと所定のケーブルで接続され同テレビジョン信号を受信する多数の端末装置から構成されている。ここで、同センターは各端末装置に設置したテレビ受像機に対して上記ケーブルを介して同端末装置のチャンネルに対応した各種テレビ番組を伝送し、また、同センターは同端末装置との間で予め決められたチャンネル帯域内に所定のデータを付加するデータ通信機能を有している。
【０００２】
そして、同公報に開示されている上記ＣＡＴＶシステムにおける視聴制御装置は、上記センター側にて上記データ通信機能により伝送する各種テレビ番組の番組内容に視聴許容のランク付けを行いチャンネル帯域内に多重するとともに、そのチャンネル番組内容に視聴許容のランク付けを行った番組視聴許容ランクを送出する番組視聴許容ランク送出機能を備えさせ、また、上記端末装置側には視聴許容ランク登録機能と番組視聴禁止機能とを備えさせ、上記視聴許容ランク登録機能において登録した所定の視聴許容ランクが付加されたテレビジョン信号を受信すると同端末装置において視聴を禁止している。
【０００３】
【発明が解決しようとする課題】
上述した従来のＣＡＴＶにおいては、視聴許容ランク以上のテレビジョン信号を受信すると視聴を禁止することは可能であるが、同テレビジョン信号を録画すると視聴を禁止することができないという課題があった。
【０００４】
本発明は、上記課題にかんがみてなされたもので、所定の視聴許容ランク以上のテレビ番組の録画を禁止または、録画されている場合には再生を早送りにより飛ばすとともに、所定の視聴許容ランク以上のテレビ番組のみを録画または再生することが可能なビデオデッキの提供を目的とする。
【０００５】
【課題を解決するための手段】
上記目的を達成するために、請求項１にかかる発明は、テレビ番組の内容に応じて視聴許容ランク付けされた番組内容識別データが付加されたテレビジョン信号を受信するテレビジョン信号入力手段と、上記テレビジョン信号入力手段が入力したテレビジョン信号をビデオテープにビデオ信号として記録する録画手段と、利用者が録画を所望しないテレビジョン信号に対応する視聴許容ランクを登録するための登録項目または利用者が録画を所望するテレビジョン信号に対応する視聴許容ランクを登録するための登録項目を選択する登録項目選択手段と、上記登録項目選択手段によって選択した登録項目毎に対応する複数の視聴許容ランクから一の視聴許容ランクを登録する視聴許容ランク登録手段と、上記番組内容識別データの視聴許容ランクが上記視聴許容ランク登録手段にて登録された視聴許容ランク以上であるか否かを判別する視聴許容ランク判別手段と、上記録画手段が実行する録画動作の起動および停止を制御するとともに、上記登録項目選択手段において利用者が録画を所望しないテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合には上記録画手段の録画動作を一時停止あるいは停止させ、上記登録項目選択手段において利用者が録画を所望するテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合には上記録画手段の録画動作を実行させる録画制御手段とを具備する構成としてある。
【０００６】
上記のように構成した請求項１にかかる発明においては、上記テレビジョン信号入力手段は、テレビ番組の内容に応じて視聴許容ランク付けされた番組内容識別データが付加されたテレビジョン信号を受信する。そして、上記録画手段は、上記テレビジョン信号入力手段が入力したテレビジョン信号をビデオテープにビデオ信号として録画する。ここで、登録項目選択手段は、利用者が録画を所望しないテレビジョン信号に対応する視聴許容ランクを登録するための登録項目または利用者が録画を所望するテレビジョン信号に対応する視聴許容ランクを登録するための登録項目を選択する。そして、上記視聴許容ランク登録手段は、上記登録項目選択手段によって選択した登録項目毎に対応する複数の視聴許容ランクから、一の視聴許容ランクを登録するとともに、上記視聴許容ランク判別手段は、上記番組内容識別データの視聴許容ランクが上記視聴許容ランク登録手段にて登録された視聴許容ランク以上であるか否かを判別する。そして、上記録画制御手段は、上記録画手段が実行する録画動作の起動および停止を制御するとともに、上記登録項目選択手段において利用者が録画を所望しないテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合には上記録画手段の録画動作を一時停止させ、上記登録項目選択手段において利用者が録画を所望するテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合には上記録画手段の録画動作を実行させる。
【０００７】
すなわち、利用者は暴力シーンを含む映像や、成人向けの猥褻な映像を含む番組や場面を録画したくないときは、上記録画を所望しないテレビジョン信号に対応する視聴許容ランクを登録するための登録項目を選択した上で、暴力シーン・成人向けの場面・番組のジャンルに応じて放送局側が視聴許容ランク付けした番組内容識別データを参照し、録画したくない視聴許容ランクを登録する。そして、録画時に、登録された視聴許容ランク以上の番組のテレビジョン信号を受信した場合は、録画動作を一時停止することにより録画されないようにする。むろん、この視聴許容ランク付けは映像に関して視聴許容ランク付けが行われているものであってもよいし、音声に関して視聴許容ランク付けが行われているものであってもよい。
上述したように、利用者が所望の視聴許容ランク以上の番組等を録画しないことが可能になる。一方、状況によっては所定の視聴許容ランク以上の番組を録画することが可能であれば都合がよいことがある。すなわち、利用者は、上記録画を所望するテレビジョン信号に対応する視聴許容ランクを登録するための登録項目を選択した上で、暴力シーン・成人向けの場面・番組のジャンルに応じて放送局側が視聴許容ランク付けした番組識別データを参照し、この暴力シーン・成人向けの場面・番組のジャンルを録画したい場合に所定の視聴許容ランクを登録する。そして、録画時に登録された視聴許容ランク以上の番組のテレビジョン信号を受信した場合にのみ録画動作を実行する。むろん、録画動作が実行されるのは、登録した視聴許容ランク以上が対象となり、暴力シーン・成人向けなど番組の場面・番組の録画に限定されるものではない。
【０００８】
上記テレビジョン信号入力手段の入力したテレビジョン信号における番組内容識別データの視聴許容ランクが登録した視聴許容ランク以上である場合に、同テレビジョン信号をビデオテープに録画しない上記録画制御手段の構成の他の一例として、上記録画制御手段は、上記登録項目選択手段において利用者が録画を所望しないテレビジョン信号に対応する視聴許容ランクを登録するための登録項目が選択されており、かつ、上記視聴許容ランク判別手段が番組内容識別データの視聴許容ランクが登録された視聴許容ランク以上であると判別した場合に、上記録画手段の録画動作を停止させる構成としてもよい。
【０００９】
上記構成においては、録画時に、上記登録項目選択手段において利用者が録画を所望しないテレビジョン信号に対応する視聴許容ランクを登録するための登録項目が選択されており、かつ、上記テレビジョン信号入力手段の入力したテレビジョン信号における番組内容識別データの視聴許容ランクが上記視聴許容ランク登録手段において登録した視聴許容ランク以上であると上記視聴許容ランク判別手段が判別した場合に、上記録画制御手段は上記録画手段の録画動作を停止させることにより、暴力シーンや成人向けなどの番組の録画を行わなくする。
【００１０】
ここで、上述した視聴許容ランク判別手段はテレビジョン信号に付加されている番組内容識別データの視聴許容ランク付けを判別するだけでなく、録画されたビデオ信号の番組内容識別データの視聴許容ランク付けも判別する。従って、再生時に上記視聴許容ランク登録手段にて所定の視聴許容ランクを登録すると、再生するビデオ信号の番組内容識別データが、登録した視聴許容ランク以上であるか否かを判別することが可能になる。すなわち、再生時に、録画する際に行った視聴許容ランク登録とは異なる視聴許容ランク登録を行うことが可能になる。そして、再生時の視聴許容ランク登録により登録した視聴許容ランク以上のビデオ信号を視聴できないように早送りすることができれば都合が良い。
【００１１】
そこで、請求項２にかかる発明は、テレビ番組の内容に応じて視聴許容ランク付けされた番組内容識別データが付加されたテレビジョン信号を受信するテレビジョン信号入力手段と、上記テレビジョン信号入力手段が入力したテレビジョン信号をビデオテープにビデオ信号として記録する録画手段と、上記ビデオテープに記録したビデオ信号を再生する再生手段と、上記録画手段がテレビジョン信号を録画する際における視聴許容ランク及び、上記再生手段がビデオ信号を再生する際における視聴許容ランクを夫々登録可能な視聴許容ランク登録手段と、上記録画手段がテレビジョン信号を録画する場合に、上記番組内容識別データの視聴許容ランクが、上記登録した録画手段がテレビジョン信号を録画する際における視聴許容ランク以上であるか否かを判別し、上記再生手段がビデオ信号を再生する場合に、同再生するビデオ信号の番組内容識別データの視聴許容ランクが、上記登録した再生手段がビデオ信号を再生する際における視聴許容ランク以上であるか否かを判別する視聴許容ランク判別手段と、上記視聴許容ランク判別手段が、上記番組内容識別データの視聴許容ランクが上記登録した録画手段がテレビジョン信号を録画する際における視聴許容ランク以上であると判別した場合に、上記録画手段の録画動作を停止させ、上記視聴許容ランク判別手段が、同再生するビデオ信号の番組内容識別データの視聴許容ランクが上記登録した再生手段がビデオ信号を再生する際における視聴許容ランク以上であると判別した場合に、再生動作を早送りする録画再生制御手段とを具備する構成としてある。
【００１２】
上記のように構成した請求項２にかかる発明においては、上記再生手段は、テレビ番組の内容に応じて視聴許容ランク付けされた番組内容識別データが付加されたテレビジョン信号をビデオテープに記録したビデオ信号を再生する。ここで、上記視聴許容ランク登録手段は、上記録画手段がテレビジョン信号を録画する際における視聴許容ランク及び、上記再生手段がビデオ信号を再生する際における視聴許容ランクを夫々登録可能である。上記視聴許容ランク判別手段は、上記録画手段がテレビジョン信号を録画する場合に、上記番組内容識別データの視聴許容ランクが、上記登録した録画手段がテレビジョン信号を録画する際における視聴許容ランク以上であるか否かを判別し、録画されたビデオ信号が再生される場合に、同ビデオ信号における上記番組内容識別データの視聴許容ランクが、上記登録した再生手段がビデオ信号を再生する際における視聴許容ランク以上であるか否かを判別する。そして、上記録画再生制御手段は、上記視聴許容ランク判別手段が、上記番組内容識別データの視聴許容ランクが上記登録した録画手段がテレビジョン信号を録画する際における視聴許容ランク以上であると判別した場合に、上記録画手段の録画動作を停止させ、上記視聴許容ランク判別手段が再生するビデオ信号における番組内容識別データの視聴許容ランクが上記登録した再生手段がビデオ信号を再生する際における視聴許容ランク以上であると判別した場合に、上記再生手段の再生動作を早送りさせる。
【００１３】
すなわち、利用者は、暴力シーン・成人向けの場面・番組のジャンルに応じて放送局側が視聴許容ランク付けした番組内容識別データを参照し、再生したくない視聴許容ランクを登録する。そして、再生時に、登録された視聴許容ランク以上の番組のビデオ信号を検出した場合は、再生動作を早送りすることにより、上述した暴力シーン・成人向けの場面・番組のジャンルの再生を排除することができる。また、再生動作の早送りは、再生動作を実行しつつ、ビデオテープの送り速度を早くするものであってもよいし、再生を停止し単にビデオテープを速く送るものであってもよい。
【００１４】
上述したように、所定の視聴許容ランク以上の番組を録画することが可能であれば都合がよいことがある。そこで、テレビ番組の内容に応じて視聴許容ランク付けされた番組内容識別データが付加されたテレビジョン信号を受信するテレビジョン信号入力手段と、上記テレビジョン信号入力手段が入力したテレビジョン信号をビデオテープにビデオ信号として記録する録画手段と、所定の番組内容識別データの視聴許容ランクを登録する視聴許容ランク登録手段と、上記番組内容識別データの視聴許容ランクが上記視聴許容ランク登録手段にて登録された視聴許容ランク以上であるか否かを判別する視聴許容ランク判別手段と、上記視聴許容ランク判別手段が上記テレビジョン信号入力手段の入力したテレビジョン信号に付加されている番組内容識別データの視聴許容ランクが登録された視聴許容ランク以上であると判別すると、同テレビジョン信号について録画動作を実行する録画制御手段とを具備する構成としてもよい。
【００１５】
上記構成においては、上記テレビジョン信号入力手段は、テレビ番組の内容に応じて視聴許容ランク付けされた番組内容識別データが付加されたテレビジョン信号を受信する。そして、上記録画手段は、上記テレビジョン信号入力手段が入力したテレビジョン信号をビデオテープにビデオ信号として録画する。ここで、上記視聴許容ランク登録手段は、所定の番組内容識別データの視聴許容ランクを登録するとともに、上記視聴許容ランク判別手段は、テレビジョン信号を録画するときに、上記番組内容識別データの視聴許容ランクが上記視聴許容ランク登録手段にて登録された視聴許容ランク以上であるか否かを判別する。そして、上記録画制御手段は、上記視聴許容ランク判別手段が上記テレビジョン信号入力手段の入力したテレビジョン信号に付加されている番組内容識別データの視聴許容ランクが登録された視聴許容ランク以上であると、上記録画手段において同テレビジョン信号の録画動作を実行する。
【００１６】
ところで、上記録画手段がテレビジョン信号を録画する際における視聴許容ランクに関係なく、録画したビデオ信号を再生するときに、所望の視聴許容ランク以上のビデオ信号のみを再生することができると都合がよい場合がある。そこで、請求項３にかかる発明は、テレビ番組の内容に応じて視聴許容ランク付けされた番組内容識別データが付加されたテレビジョン信号を受信するテレビジョン信号入力手段と、上記テレビジョン信号入力手段が入力したテレビジョン信号をビデオテープにビデオ信号として記録する録画手段と、上記ビデオテープに記録したビデオ信号を再生する再生手段と、上記録画手段がテレビジョン信号を録画する際における視聴許容ランク及び、上記再生手段がビデオ信号を再生する際における視聴許容ランクを夫々登録可能な視聴許容ランク登録手段と、上記録画手段がテレビジョン信号を録画する場合に、上記番組内容識別データの視聴許容ランクが、上記登録した録画手段がテレビジョン信号を録画する際における視聴許容ランク以上であるか否かを判別し、上記再生手段がビデオ信号を再生する場合に、同再生するビデオ信号の番組内容識別データの視聴許容ランクが、上記登録した再生手段がビデオ信号を再生する際における視聴許容ランク以上であるか否かを判別する視聴許容ランク判別手段と、上記視聴許容ランク判別手段が、上記番組内容識別データの視聴許容ランクが上記登録した録画手段がテレビジョン信号を録画する際における視聴許容ランク以上であると判別すると、上記録画手段の録画動作を実行し、上記視聴許容ランク判別手段が、同再生するビデオ信号の番組内容識別データの視聴許容ランクが上記登録した再生手段がビデオ信号を再生する際における視聴許容ランク以上であると判別すると、同ビデオ信号について再生動作を実行するとともに、視聴許容ランク未満のビデオ信号は早送りする録画再生制御手段とを具備する構成としてある。
【００１７】
上記のように構成した請求項３にかかる発明においては、上記再生手段は、テレビ番組の内容に応じて視聴許容ランク付けされた番組内容識別データが付加されたテレビジョン信号をビデオテープに記録したビデオ信号を再生する。ここで、上記視聴許容ランク登録手段は、上記録画手段がテレビジョン信号を録画する際における視聴許容ランク及び、上記再生手段がビデオ信号を再生する際における視聴許容ランクを夫々登録可能である。上記視聴許容ランク判別手段は、上記録画手段がテレビジョン信号を録画する場合に、上記番組内容識別データの視聴許容ランクが、上記登録した録画手段がテレビジョン信号を録画する際における視聴許容ランク以上であるか否かを判別し、録画されたビデオ信号が再生される場合に、同ビデオ信号における上記番組内容識別データの視聴許容ランクが、上記登録した再生手段がビデオ信号を再生する際における視聴許容ランク以上であるか否かを判別する。そして、上記録画再生制御手段は、上記視聴許容ランク判別手段が、上記番組内容識別データの視聴許容ランクが上記登録した録画手段がテレビジョン信号を録画する際における視聴許容ランク以上であると判別すると、上記録画手段の録画動作を実行し、上記視聴許容ランク判別手段が、再生するビデオ信号の番組内容識別データの視聴許容ランクがが上記登録した再生手段がビデオ信号を再生する際における視聴許容ランク以上であると判別すると、同ビデオ信号について再生動作を実行し、視聴許容ランク未満のビデオ信号については再生動作を早送りする。
【００１８】
すなわち、利用者は、暴力シーン・成人向けの場面・番組のジャンルに応じて放送局側が視聴許容ランク付けした番組識別データを参照し、再生したい視聴許容ランクを登録する。そして、再生時に、暴力シーン・成人向けの場面・番組のジャンルに対応する視聴許容ランクを登録し、再生するビデオ信号においてこの視聴許容ランクが検出された場合は、再生動作を行うことにより、上述した暴力シーン・成人向けの場面・番組のジャンルの再生のみを鑑賞することができる。むろん、再生動作が実行されるのは、登録した視聴許容ランク以上が対象となり、暴力シーン・成人向けの場面・番組のジャンルの録画に限定されるものではない。また、再生動作の早送りは、再生動作を実行しつつ、ビデオテープの送り速度を早くするものであってもよいし、再生を停止し単にビデオテープを速く送るものであってもよい。
【００１９】
また、請求項４においては、録画再生制御手段は、上記視聴許容ランク判別手段が、上記番組内容識別データの視聴許容ランクが上記登録した録画手段がテレビジョン信号を録画する際における視聴許容ランク以上であると判別した場合に、上記録画手段の録画動作を停止させ、上記視聴許容ランク判別手段が、同再生するビデオ信号の番組内容識別データの視聴許容ランクが上記登録した再生手段がビデオ信号を再生する際における視聴許容ランク以上であると判別すると、同ビデオ信号について再生動作を実行するとともに、視聴許容ランク未満のビデオ信号は早送りする。また、請求項５においては、録画再生制御手段は、上記視聴許容ランク判別手段が、上記番組内容識別データの視聴許容ランクが上記登録した録画手段がテレビジョン信号を録画する際における視聴許容ランク以上であると判別すると、上記録画手段の録画動作を実行し、上記視聴許容ランク判別手段が、同再生するビデオ信号の番組内容識別データの視聴許容ランクが上記登録した再生手段がビデオ信号を再生する際における視聴許容ランク以上であると判別した場合に、再生動作を早送りする。
つまり、録画手段がテレビジョン信号を録画する際における視聴許容ランクと、再生手段がビデオ信号を再生する際における視聴許容ランクを別々に登録して、上記登録したテレビジョン信号を録画する際における視聴許容ランクに基づいて録画を停止するとともに、上記登録したビデオ信号を再生する際における視聴許容ランクに基づいて再生動作を実行する構成が考えられる。同様に、上記登録したテレビジョン信号を録画する際における視聴許容ランクに基づいて録画を実行するとともに、上記登録したビデオ信号を再生する際における視聴許容ランクに基づいて再生動作を早送りする構成が考えられる。
【００２０】
【発明の効果】
以上説明したように本発明は、 視聴許容ランクを登録するための登録項目を選択した上で所定の視聴許容ランクを登録することにより、所定の視聴許容ランク以上のテレビ番組の録画を所望しない場合は、同視聴許容ランク以上のテレビ番組の録画を一時停止あるいは停止により禁止することが可能であり、所定の視聴許容ランク以上のテレビ番組の録画を所望する場合は、同視聴許容ランク以上のテレビ番組のみを録画することができる。 さらに、請求項３、請求項６にかかる発明によれば、録画時の視聴許容ランクと再生時の視聴許容ランクを別途登録することができるため、録画時の視聴許容ランクに関係なく、所定の視聴許容ランク以上のビデオ信号の再生を早送りにより飛ばすことができ、請求項４、請求項５にかかる発明によれば、録画時の視聴許容ランクに関係なく、所定の視聴許容ランク以上のビデオ信号のみを再生することができる。
【００２１】
【発明の実施の形態】
以下、図面にもとづいて本発明の実施形態を説明する。図１は、本発明の一実施形態にかかるビデオデッキのクレーム対応図を示す。同図において、ビデオデッキ１０は、テレビジョン信号入力手段Ｃ１と、録画再生手段Ｃ２と、録画再生制御手段Ｃ３と、視聴許容ランク登録手段Ｃ４と、視聴許容ランク判別手段Ｃ５とから構成される。テレビジョン信号入力手段Ｃ１は暴力シーン・成人向けの場面・番組のジャンルに応じて放送局側が視聴許容ランク付けした番組識別データが付加されたテレビジョン信号を受信し、録画再生手段Ｃ２および視聴許容ランク判別手段Ｃ５に同テレビジョン信号を送信する。視聴許容ランク判別手段Ｃ５は、同テレビジョン信号からランクデータを抽出するとともに、視聴許容ランク登録手段Ｃ４において登録された所定のランクデータを読み出しつつ比較する。そして、同テレビジョン信号から抽出したランクデータが登録されているランク以上であると判別すると、接続する録画再生制御手段Ｃ３に通知する。
【００２２】
この通知を受信した録画再生制御手段Ｃ３は、録画再生手段Ｃ２にて録画動作を実行している場合であって録画禁止ランクの通知を受信したときは、録画再生手段Ｃ２の録画動作を一時停止あるいは停止させ、録画禁止ランクの通知が解除されると再度録画動作を実行する。また、録画再生手段Ｃ２にて録画動作を実行する場合であって録画ランクの通知を受信したときは、録画再生手段Ｃ２の録画動作を起動させ、録画ランクの通知が解除されると録画動作を一時停止あるいは停止させる。
【００２３】
さらに、録画再生手段Ｃ２にて再生動作を実行している場合であって再生禁止ランクの通知を受信したときは、録画再生手段Ｃ２の再生動作を早送りさせ、再生禁止ランクの通知が解除されると再度、通常の再生動作を実行する。また、録画再生手段Ｃ２にて再生動作を実行する場合であって再生ランクの通知を受信したときは、録画再生手段Ｃ２の再生動作を起動させ、再生ランクの通知が解除されると再生動作を一時停止あるいは停止させる。
【００２４】
図２は、同ビデオデッキの概略構成をブロック図により示している。同図において、チューナブロック１０は、チューナ１１とＩＦ１２とを備えており、マイコン２０から同調周波数を指示され、アンテナ１３を介してテレビジョン信号を受信し、中間周波信号を出力する。この中間周波信号はビデオＩＣ３０に供給され、同ビデオＩＣ３０は図示しないビデオメカ部におけるセンサからの検出信号を受信しつつサーボモータを駆動したりヘッド信号の授受を行っており、ビデオテープに対する録画再生、およびテープ送りなどを実行する。チューナブロック１０はマイコン２０に対して直に接続されているが、ビデオＩＣ３０とマイコン２０はＩＩＣバス４０を介して相互に接続され、同マイコン２０は受信周波数の指示やビデオデッキ全体としての制御を実行している。また、マイコン２０内にはＯＳＤ（オンスクリーンディスプレイ）回路２１が内蔵されており、ビデオＩＣ３０にて生成する映像信号に所定のキャラクタやグラフィック画像を重畳して表示可能となっている。例えば、ランク表の表示や録画または再生時の所定のランク設定操作、チャンネル表示、テープ残量などをキャラクタやグラフィック画像で表示可能となっている。本実施形態においては、マイコン２０とビデオＩＣ３０とが独立して存在しているが、これらは一体化して構成することも可能である。
【００２５】
ＩＩＣバス４０には、この他にも初期設定などを記憶するＥＥＰＲＯＭ６０や、テレビジョン信号に重畳されたランク情報を抽出するとともに、登録されたランクを読み出し、比較する抽出用ＩＣ７０なども接続されている。また、ＥＥＰＲＯＭ６０は不揮発性の記憶領域であり、マイコン２０はチャンネル周波数の設定値の他、放送局の有無を表すプリセットデータや機器の構成状況などを書き込み、必要時に参照している。本実施形態においては、後述するように操作パネル５０にて登録されたランク情報をこのＥＥＰＲＯＭ６０に書き込むようにしている。むろん、他の記憶素子などを採用することも可能であるし、電源オン毎に別のＲＡＭ領域などに保存するようにしても構わない。
【００２６】
抽出用ＩＣ７０はテレビジョン信号にランク情報などのデータが含まれている場合に同データを抽出するデータスライサである。このようにして重畳されるデータには時刻情報の他にも放送局ＩＤなども含まれるが、本実施形態においてはランク情報だけを取得し、取得されたランク情報はＩＩＣバス４０を介してマイコン２０にて取得できるようにしている。ランク情報の重畳方法は、ＦＭ多重放送の一形態として実現しても良いし、映像信号となる各水平走査信号間に数ビットのディジタルデータを含めておき、数フレームを使って一つのまとまったディジタルデータを送信するようなものでも構わない。
【００２７】
ここで、図３〜図８は、ＯＳＤ回路２１により本ビデオデッキが接続された図示しないテレビジョンの受像機に表示されたランク情報に関するランク表画面と、登録項目およびランク登録画面とを示している。利用者は操作パネル５０の「ＵＰ／ＤＯＷＮ」キーを操作し、所望の項目またはランク位置に矢印カーソルを移動させ、「選択」キーにより確定することになる。図に示すように本実施形態においては、ランク０〜６までにランク付けされており、利用者は上述したように操作パネル５０を使用して図４に示す登録項目から所望の項目を選択するとともに、図５〜８に示す登録項目に対応するランク情報を設定する。
【００２８】
図３はランク表であり、ランク情報が規格化されていれば、同ランク表をＥＥＰＲＯＭ６０などに予め格納しておき、利用者の要求により表示する構成であってもよいし、テレビジョン信号にこのようなランク情報が重畳されているならば、抽出用ＩＣ７０にてランク表を抽出し表示させる構成であってもかまわない。ここで、図９はマイコン２０が実行する録画／録画禁止処理の処理内容をフローチャートにより示している。同図において、操作パネル５０の図示しない録画ボタンにより録画が選択されると録画要求を受信する（ステップＳ１００）。この録画要求を受信すると、ＥＥＰＲＯＭ６０に登録されているランク情報を読み出し、図４に示す「録画禁止ランク」が選択され設定されているか判別する（ステップＳ１０５）。「録画禁止ランク」が設定されていると、抽出用ＩＣ７０がビデオＩＣ３０を介して受信したテレビジョン信号より抽出したランク情報を取得する（ステップＳ１１０）。次に、図５に示る「録画禁止ランク」設定画面により利用者が設定したランク情報をＥＥＰＲＯＭ６０から読み出し（ステップＳ１１５）、上述したテレビジョン信号から抽出したランク情報と比較する（ステップＳ１２０，１２５）。比較した結果、テレビジョン信号より抽出したランク情報が登録したランク情報以上であった場合は、利用者が録画を望まないテレビジョン信号であると認識し、録画動作を停止する（ステップＳ１３０）。また、テレビジョン信号より抽出したランク情報が登録したランク情報未満であった場合は、利用者が録画を望むテレビジョン信号であると認識し、録画動作を実行する（ステップＳ１３５）。
【００２９】
上記ステップＳ１０５において利用者が登録したランク情報を読み出し、図４に示す「録画禁止ランク」が選択され設定されているか判別し、「録画禁止ランク」が選択されていない場合は、「録画ランク」が選択され設定されているか判別する（ステップＳ１４０）。「録画ランク」が設定されていると、抽出用ＩＣ７０がビデオＩＣ３０を介して受信したテレビジョン信号より抽出したランク情報を取得する（ステップＳ１４５）。
【００３０】
次に、図６に示る「録画ランク」設定画面により利用者が設定したランク情報をＥＥＰＲＯＭ６０から読み出し（ステップＳ１５０）、上述したテレビジョン信号から抽出したランク情報と比較する（ステップＳ１５５，１６０）。比較した結果、テレビジョン信号より抽出したランク情報が登録したランク情報以上であった場合は、利用者が録画を望むテレビジョン信号であると認識し、録画動作を実行する（ステップＳ１６５）。また、テレビジョン信号より抽出したランク情報が登録したランク情報未満であった場合は、利用者が録画を望まないテレビジョン信号であると認識し、録画動作を停止する（ステップＳ１７０）。ここで、上記ステップＳ１４０において「録画ランク」が選択されていないと判別したときは全てのテレビジョン信号を録画する（ステップＳ１７５）。
【００３１】
また、図１０はマイコン２０が実行する再生／再生禁止処理の処理内容をフローチャートにより示している。同図において、操作パネル５０の図示しない再生ボタンにより再生が選択されると再生要求を受信する（ステップＳ２００）。この再生要求を受信すると、ＥＥＰＲＯＭ６０に登録されているランク情報を読み出し、図４に示す「再生禁止ランク」が選択され設定されているか判別する（ステップＳ２０５）。「再生禁止ランク」が設定されていると、抽出用ＩＣ７０がビデオＩＣ３０を介して受信したビデオ信号より抽出したランク情報を取得する（ステップＳ２１０）。
【００３２】
次に、図７に示る「再生禁止ランク」設定画面により利用者が設定したランク情報をＥＥＰＲＯＭ６０から読み出し（ステップＳ２１５）、上述したビデオ信号から抽出したランク情報と比較する（ステップＳ２２０，２２５）。比較した結果、ビデオ信号より抽出したランク情報が登録したランク情報以上であった場合は、利用者が再生を望まないビデオ信号であると認識し、再生動作において早送り動作を実行する（ステップＳ２３０）。また、ビデオ信号より抽出したランク情報が登録したランク情報未満であった場合は、利用者が再生を望むビデオ信号であると認識し、通常の再生動作を実行する（ステップＳ２３５）。
【００３３】
上記ステップＳ２０５において利用者が登録したランク情報を読み出し、図４に示す「再生禁止ランク」が選択され設定されているか判別し、「再生禁止ランク」が選択されていない場合は、「再生ランク」が選択され設定されているか判別する（ステップＳ２４０）。「再生ランク」が設定されていると、抽出用ＩＣ７０がビデオＩＣ３０を介して受信したビデオ信号より抽出したランク情報を取得する（ステップＳ２４５）。
【００３４】
次に、図８に示る「再生ランク」設定画面により利用者が設定したランク情報をＥＥＰＲＯＭ６０から読み出し（ステップＳ２５０）、上述したビデオ信号から抽出したランク情報と比較する（ステップＳ２５５，２６０）。比較した結果、ビデオ信号より抽出したランク情報が登録したランク情報以上であった場合は、利用者が再生を望むビデオ信号であると認識し、通常の再生動作を実行する（ステップＳ２６５）。また、ビデオ信号より抽出したランク情報が登録したランク情報未満であった場合は、利用者が再生を望まないビデオ信号であると認識し、再生動作について早送り動作を実行する（ステップＳ２７０）。ここで、上記ステップＳ２４０において「再生ランク」が選択されていないと判別したときは全てのビデオ信号を通常の再生動作により再生する（ステップＳ２７５）。
【００３５】
次に、上記のように構成した本実施形態の「録画／録画禁止」動作について説明する。本ビデオデッキの利用者は、暴力シーンを含む映像や、成人向けの猥褻な映像を含む番組や場面を録画したくないときは、操作パネル５０より図４に示す「登録項目」設定画面を選択し、「録画禁止ランク」を選択する。そして、図５に示す「録画禁止ランク」設定により、暴力シーンの映像を示すランク３を選択する。そして、操作パネル５０にある図示しない「録画」キーを選択すると、チューナボックス１０にて受信されたテレビジョン信号はビデオＩＣ３０によりビデオテープに録画される。同時に、抽出用ＩＣ７０は受信したテレビジョン信号からランク情報を抽出し、マイコン２０により登録されたランク情報と常時比較され、監視されている。そして、受信したテレビジョン信号から抽出したランク情報がランク３〜６であると録画動作は停止する。そして、この停止している間においても受信するテレビジョン信号のランク情報を抽出し、ランク情報がランク０〜２になると録画動作を再開する。
【００３６】
また、本ビデオデッキの利用者は、例えば、暴力シーンを含む映像や成人向けの猥褻な映像を含む番組や場面を録画したいときは、操作パネル５０より図４に示す「登録項目」設定画面を選択し、「録画ランク」を選択する。そして、図６に示す「録画ランク」設定により、暴力シーンの映像を示すランク３を選択する。そして、操作パネル５０にある図示しない「録画」キーを選択すると、チューナボックス１０にて受信されたテレビジョン信号はビデオＩＣ３０によりビデオテープに録画される。同時に、抽出用ＩＣ７０は受信したテレビジョン信号からランク情報を抽出し、マイコン２０により登録されたランク情報と常時比較され、監視されている。そして、受信したテレビジョン信号から抽出したランク情報がランク３〜６であると録画動作を実行する。そして、この実行している間においても受信するテレビジョン信号のランク情報を抽出し、ランク情報がランク０〜２になると録画動作を停止する。
【００３７】
このように、操作パネル５０より、「録画禁止ランク」，「録画ランク」，「再生禁止ランク」，「再生ランク」における所望のランクを選択することにより、本ビデオデッキの利用者は暴力シーンを含む映像や、成人向けの猥褻な映像を含む番組や場面を録画したくないときは、自動的に録画を排除することが可能になる。一方、暴力シーンを含む映像や、成人向けの猥褻な映像を含む番組や場面のみを録画したいときは、所望の映像のみを録画することが可能になる。
【００３８】
また、本ビデオデッキの利用者は暴力シーンを含む映像や、成人向けの猥褻な映像を含む番組や場面を録画してしまった場合であって再生を憚るときは、自動的に該当する番組または場面を早送りすることにより排除することが可能になる。一方、暴力シーンを含む映像や、成人向けの猥褻な映像を含む番組や場面のみを再生したいときは所望の映像のみを再生し、時間短縮を図ることが可能になる。
【図面の簡単な説明】
【図１】本発明の一実施形態にかかるビデオデッキのクレーム対応図である。
【図２】同ビデオデッキの概略構成をブロック図である。
【図３】同ビデオデッキが接続された図示しないテレビジョンの受像機に表示されるランク情報に関するランク表画面である。
【図４】同ビデオデッキが接続された図示しないテレビジョンの受像機に表示されたランク情報に関する登録項目画面である。
【図５】同ビデオデッキが接続された図示しないテレビジョンの受像機に表示されたランク情報に関するランク登録画面である。
【図６】同ビデオデッキが接続された図示しないテレビジョンの受像機に表示されたランク情報に関するランク登録画面である。
【図７】同ビデオデッキが接続された図示しないテレビジョンの受像機に表示されたランク情報に関するランク登録画面である。
【図８】同ビデオデッキが接続された図示しないテレビジョンの受像機に表示されたランク情報に関するランク登録画面である。
【図９】同ビデオデッキのマイコン２０が実行する録画／録画禁止処理の処理内容をフローチャートである。
【図１０】同ビデオデッキのマイコン２０が実行する再生／再生禁止処理の処理内容をフローチャートである。
【符号の説明】
Ｃ１…テレビジョン信号入力手段
Ｃ２…録画再生手段
Ｃ３…録画再生制御手段
Ｃ４…ランク登録手段
Ｃ５…ランク判別手段
【図１】
0003570613.tif 000002
【図２】
0003570613.tif 000003
【図３】
0003570613.tif 000004
【図４】
0003570613.tif 000005
【図５】
0003570613.tif 000006
【図６】
0003570613.tif 000007
【図７】
0003570613.tif 000008
【図８】
0003570613.tif 000009
【図９】
0003570613.tif 000010
【図１０】
0003570613.tif 000011